(57)【特許請求の範囲】
【請求項１】
合成樹脂を成型することによって据置保形性を有するように四周壁によって平面四角形をなし底面を水平面又は水平凹凸面としたユニットケースを用い，その四周壁内側下部に配置した保水材収容部に保水材を収容し，該保水材上に透水性フィルターを介して四周壁の内側上部に土壌充填部を配置するとともに上記ユニットケースの四周壁外側面に隣接するユニットケース同士を相互に嵌合自在とした突起と嵌合凹部とを対とする嵌合連結手段を配置することによって据置連結自在とし且つ該ユニットケースの壁面上部を化粧被覆する化粧枠及び該化粧枠を下支え支持する載置枠を備えて建物屋上，ベランダ等の緑化スペースを形成する緑化ユニットであって，上記化粧枠を，上記ユニットケースの非連結側端部の壁面上部に厚み感を付与するように外方に膨出して該壁面の上端から中間位置までを被覆するように上端にユニットケースの上端縁に引掛支持する引掛係合部を備えたアルミ，合成樹脂等の押出成型材によるものとする一方，上記載置枠を，上記化粧枠の下端を載置して該化粧枠を下支え支持する中空ホロー部とその下端に上記ユニットケースの下面に差込挿入する差込フィンを備えるとともに高さをフロアーデッキ材の高さに合せた４ｃｍ程度とした同じくアルミ，合成樹脂等の中空ホローの押出成型材によるものとして，上記化粧枠の載置枠載置とフロアーデッキ材載置とによる化粧枠下支え納まりを選択的に自在としてなることを特徴とする芝生等植栽用の連結据置式緑化ユニット。
【請求項２】
上記ユニットケースが，その四周壁内側に該四周壁を上下方向中間位置で内側下向きに断面Ｌ字状をなすように屈曲することによって上記透水性フィルターを接着支持するフィルター支持段部を形成するとともに該フィルター支持段部の上記屈曲部位に四周壁外側面を下向きに延長するようにこれを下支えする支持脚を配置してなることを特徴とする請求項１に記載の芝生等植栽用の連結据置式緑化ユニット。
【請求項３】
上記ユニットケースが，その保水材収容部を複数に区分配置するとともに該複数の保水材収容部間に上記透水性フィルターを接着支持する隆起リブを配置してなることを特徴とする請求項１又は２に記載の芝生等植栽用の連結据置式緑化ユニット。
【請求項４】
上記ユニットケースのフィルター支持段部又は隆起リブに保水材収容部のオーバーフロー孔を透設してなることを特徴とする請求項２又は３に記載の芝生等植栽用の連結据置式緑化ユニット。
【発明の詳細な説明】
【０００１】
【発明の属する技術分野】
本発明は，建物屋上，ベランダ等に設置する緑化ユニットに関し，特に据置連結することによって設置し得るようにした芝生等植栽用の連結据置式緑化ユニットに関する。
【０００２】
【従来の技術】
この種芝生等植栽用の緑化ユニットとして，例えば本出願人による特開２０００−８６８５０号が知られており，これによれば，例えば合成樹脂を成型することによってフレキシブルに形状を自在化して，保水材を収容した複数の保水材収容部を配置した保水材ケースの上縁部に透水性フィルターを配置し，花壇等所定区画内に敷設し，該区画内に土壌を充填することによって緑化スペースを形成するものとされている。
【０００３】
【発明が解決しようとする課題】
この場合，緑化スペースが固定的に設置されることになるから，緑化スペース形成後に，例えば該緑化スペースを移動したり，緑化スペース形成面の点検等のためにその一部を一時的に露出させたりすることが必ずしも容易ではないから，緑化スペース形成場所が制約されるという問題点が残されている。
【０００４】
本発明はかかる事情に鑑みてなされたもので，その解決課題とするところは，緑化スペースの移動やその一部の一時的な撤去を可能とした芝生等植栽用の連結据置式緑化ユニットを提供するにある。
【０００５】
【課題を解決するための手段】
上記課題に沿って本発明は，緑化ユニットを用い，これを相互に連結して据置することによって緑化スペースを形成可能とし，緑化ユニットの連結を解除することによってその移動や一部の一時的な撤去をなし得るようにする一方，該緑化スペースにおける緑化ユニットの非連結側端部を化粧する押出成型材による化粧枠と該化粧枠を下支え支持する同じく押出成型材による載置枠を備えるとともに該載置枠の高さを一般のデッキ床の高さと同等とすることによって，上記載置枠による化粧枠の下支え納まりと一般のデッキ床による下支え納まりを選択的に自在とし，例えばベランダの緑化スペースに続いてデッキ床を形成するような場合にも，化粧枠を該デッキ床によって下支え支持してその化粧をなし得るものとするようにしたものであって，即ち請求項１に記載の発明を，合成樹脂を成型することによって据置保形性を有するように四周壁によって平面四角形をなし底面を水平面又は水平凹凸面としたユニットケースを用い，その四周壁内側下部に配置した保水材収容部に保水材を収容し，該保水材上に透水性フィルターを介して四周壁の内側上部に土壌充填部を配置するとともに上記ユニットケースの四周壁外側面に隣接するユニットケース同士を相互に嵌合自在とした突起と嵌合凹部とを対とする嵌合連結手段を配置することによって据置連結自在とし且つ該ユニットケースの壁面上部を化粧被覆する化粧枠及び該化粧枠を下支え支持する載置枠を備えて建物屋上，ベランダ等の緑化スペースを形成する緑化ユニットであって，上記化粧枠を，上記ユニットケースの非連結側端部の壁面上部に厚み感を付与するように外方に膨出して該壁面の上端から中間位置までを被覆するように上端にユニットケースの上端縁に引掛支持する引掛係合部を備えたアルミ，合成樹脂等の押出成型材によるものとする一方，上記載置枠を，上記化粧枠の下端を載置して該化粧枠を下支え支持する中空ホロー部とその下端に上記ユニットケースの下面に差込挿入する差込フィンを備えるとともに高さをフロアーデッキ材の高さに合せた４ｃｍ程度とした同じくアルミ，合成樹脂等の中空ホローの押出成型材によるものとして，上記化粧枠の載置枠載置とフロアーデッキ材載置とによる化粧枠下支え納まりを選択的に自在としてなることを特徴とする芝生等植栽用の連結据置式緑化ユニットとしたものである。
【０００６】
請求項２に記載の発明は，上記に加えて，上記ユニットケースを複雑断面形状とすることによってその強度を向上し，透水性フィルターの設置を容易且つ安定して行なうものとし得るとともに，例えば緑化スペースでの人の歩行等緑化ユニットに荷重が掛った場合でも上記ユニットケース四周壁の破損や変形を可及的に防止し得るものとするように，これを，上記ユニットケースが，その四周壁内側に該四周壁を上下方向中間位置で内側下向きに断面Ｌ字状をなすように屈曲することによって上記透水性フィルターを接着支持するフィルター支持段部を形成するとともに該フィルター支持段部の上記屈曲部位に四周壁外側面を下向きに延長するようにこれを下支えする支持脚を配置してなることを特徴とする請求項１に記載の芝生等植栽用の連結据置式緑化ユニットとしたものである。
【０００７】
請求項３に記載の発明は，同じく上記に加えて，同様に上記ユニットケースを複雑断面形状とすることによってその強度を向上し，透水性フィルターの設置を容易且つ安定して行なうものとし得るように，上記ユニットケースが，その保水材収容部を複数に区分配置するとともに該複数の保水材収容部間に上記透水性フィルターを接着支持する隆起リブを配置してなることを特徴とする請求項１又は２に記載の芝生等植栽用の連結据置式緑化ユニットとしたものである。
【０００８】
請求項４に記載の発明は，同じく上記に加えて，上記フィルター段部又は隆起リブを備えたときに，保水材による保水を適正に行い，植栽植物の根腐れ等を可及的に防止し植栽に好適なものとし得るように，これを，上記ユニットケースのフィルター段部又は隆起リブに保水材収容部のオーバーフロー孔を透設してなることを特徴とする請求項２又は３に記載の芝生等植栽用の連結据置式緑化ユニットとしたものである。
【０００９】
本発明はこれらをそれぞれ発明の要旨として上記課題解決の手段としたものである。
【００１０】
【発明の実施の形態】
以下図面の例に従って本発明を更に具体的に説明すれば，Ａは緑化ユニットであり，該緑化ユニットＡは，合成樹脂を成型することによって据置保形性を有するように四周壁２によって平面四角形をなし底面５を水平面又は水平凹凸面としたユニットケース１を用い，その四周壁２内側下部に配置した保水材収容部７に保水材８を収容し，該保水材８上に透水性フィルター１３を介して四周壁２の内側上部に土壌充填部１４を配置するとともに上記ユニットケース１の四周壁２外側面に隣接するユニットケース１同士を相互に嵌合自在とした突起１７と嵌合凹部１８とを対とする嵌合連結手段１６を配置することによって据置連結自在とし且つ該ユニットケース１の壁面上部を化粧被覆する化粧枠２０及び該化粧枠２０を下支え支持する載置枠２２を備えて建物屋上，ベランダ等の緑化スペースを形成するものとしてある。
【００１１】
即ち本例の緑化ユニットＡは，ユニットケース１を１乃至２ｍｍ程度の肉厚を有するように，例えば一辺を３０ｃｍ程度とした平面四角形，特に平面正方形とし，高さを７〜８ｃｍ程度とした偏平形状をなすように，合成樹脂，例えばポリエチレン樹脂によって四周壁２と底面５とを備えて成型することによって形成した上面開放にして偏平ボックス状のケースとし，該ユニットケース１の四周壁２の内側下部に保水材収容部７を，透水性フィルター１３を介して該保水材収容部１３上の四周壁２内側上部に土壌充填部１４を形成配置し，多数を据置使用することによって土壌に芝生等の植栽を行なうことによって建物屋上，ベランダ等に緑化スペースを形成する据置使用のためのユニットとしてあり，このとき本例の緑化ユニットＡは，上記土壌充填部１４に土壌を充填した状態で，人が持上げ移動し得る程度の重量，例えば５〜７ｋｇ程度となるように上記寸法による土壌充填部１４の容量を設定したものとしてある。
【００１２】
このとき上記ユニットケース１は，これが，その四周壁２内側に該四周壁２を上下方向中間位置で内側下向きに断面Ｌ字状をなすように屈曲することによって上記透水性フィルター１３を接着支持するフィルター支持段部９を形成するとともに該フィルター支持段部９の上記屈曲部位に四周壁２外側面を下向きに延長するようにこれを下支えする支持脚４を配置したものとしてあり，またその保水材収容部７を複数に区分配置するとともに該複数の保水材収容部７間に上記透水性フィルター１３を接着支持する隆起リブ１１を配置したものとしてある。
【００１３】
ユニットケース１は，従ってその四周壁２内側にフィルター支持段部９を，その外側に支持脚４を配置して四周壁２の端部を複雑端部形状とする一方，上記保水材収容部７を複数区分，本例にあっては４区分し，上記フィルター支持段部９間に十字状をなす隆起リブ１１を同高とするように配置して一体成型することによって四周壁２の内側を同様に複雑面内形状とし，これによって上記据置保形性を向上するようにユニットケース１を補強して，例えば上記移動時当にその保形状態の高度に維持し得るように構成してある。
【００１４】
一方嵌合連結手段１６は，これをユニットケース１の四周壁２の外側面，上記フィルター支持段部９を配置した本例にあっては，四周壁２を下支えすることによって四周壁２の下部をなす上記支持脚４の外側面に配置してあり，本例の嵌合連結手段１６は，これを四周壁２の外側面長手方向に相互に嵌合自在とした，例えば断面Ｔ字状をなす嵌合用の突起１７と，該突起１７を受入嵌合する断面Ｃ字状をなす嵌合凹部１８の対を交互等間隔に配置するとともにその長手方向端部からの突起１７と嵌合凹部１８との配置順を四周壁２の対向壁面間で逆順とする複数対，本例にあっては３対を四周壁２，本例にあってはその支持脚４の一辺にそれぞれ一体成型することによって配置したものとしてあり，隣接するユニットケース１との間で対向する或いは一方を９０度回転することによって対向する突起１７と嵌合凹部１８とを相互に嵌合してその据置の連結を行なうものとしてあり，このとき連結は，例えば先行して据置配置したユニットケース１の突起１７及び嵌合凹部１８に後続して据置配置するユニットケース１の嵌合凹部１８及び突起１７がそれぞれ上下方向に嵌合するように該後続のユニットケース１の据置配置に際してこれを落とし込むようにして行なうものとしてある。
【００１５】
保水材８は，本例においてこれを，例えばパーライト等保水性の粒状物として，保水材収容部７内に充填し，散水による水分を保水して芝生等の植栽物に水分を供給するものとしてあり，透水性フィルター１３は，上記散水による水分を透過し，散水が保水材収容部７に至るようにするとともに土壌の透過を防止し得るようにした，例えば多孔性の織布乃至不織布，本例にあってはペーパー系の不織布によるものとしてある。
【００１６】
透水性フィルター１３は，上記保水材収容部７を被覆するように四周壁２内側に一連一体に又は各保水材収容部７毎にユニットケース１に配置してあり，本例にあって該透水性フィルター１３の配置はこれをフィルター支持段部９に接着してこれを行なうようにしてあり，このとき本例の透水性フィルター１３は，これをユニットケース１の四周壁２内部に応じた大きさとし，その外周側端部をフィルター支持段部９上面と上記隆起リブ１１の上面に同時に接着することによって，これを行なうようにしてある。
【００１７】
１２は，上記ユニットケース１のフィルター支持段部９又は隆起リブ１１，本例にあっては隆起リブ１１に透設した保水材収容部７のオーバーフロー孔１２であり，本例のオーバーフロー孔１２は，上記隆起リブ１１の幅方向中央位置にその長手方向に所定ピッチをなすように透設した円形孔によるものとし，散水による保水材収容部７のオーバーフロー水をユニットケース１外に排水し，水分の過剰によって植栽物の根腐れを防止するものとしてある。
【００１８】
上記化粧枠２０は，これを，上記ユニットケース１の非連結側端部の壁面上部に厚み感を付与するように外方に膨出して該壁面の上端から中間位置までを被覆するように上端にユニットケース１の上端縁に引掛支持する引掛係合部２１を備えたアルミ，合成樹脂等の押出成型材によるものとしてあり，また上記載置枠２２は，これを，上記化粧枠２０の下端を載置して該化粧枠２０を下支え支持する中空ホロー部とその下端に上記ユニットケース１の下面に差込挿入する差込フィン２３を備えるとともに高さをフロアーデッキ材３０の高さに合せた４ｃｍ程度とした同じくアルミ，合成樹脂等の中空ホローの押出成型材によるものとして，上記化粧枠２０の載置枠２２載置とフロアーデッキ材３０載置とによる化粧枠２０下支え納まりを選択的に自在としてある。
【００１９】
このとき本例の化粧枠２０は，上記７〜８ｃｍ程度の高さを有するユニットケース１の四周壁２の壁面高さに対して，３〜４ｃｍ程度の高さとし，また載置枠２２の高さを４ｃｍ程度として，該載置枠２２を一般的なフロアーデッキ材３０の高さに合せたものとしてあり，従って，例えば図１１に示すように，化粧枠２０を載置枠２２と該フロア−デッキ材３０に選択的に載置するようにしてその下支え納まりを自在とし，これによって化粧枠２０を，緑化ユニットＡにおけるユニットケース１の露出部分の化粧を行なうとともに，必要に応じて該緑化ユニットＡに隣接して配置したフロア−デッキ材３０との外観のよい良好な納まりを確保し得るようにしてある。
【００２０】
このとき本例のフロア−デッキ材３０は，これを上記ユニットケース１と同形状の正方形のものとするとともに該ユニットケース１におけると同様に，その外側面に隣接するフロア−デッキ材３０同士を相互に嵌合自在とした，図示省略の突起と嵌合凹部とを対とする嵌合連結手段を配置することによって据置連結自在のものとしてあり，本例にあって該連結手段の突起と嵌合凹部は，これを，上記ユニットケース１における突起１７及び嵌合凹部１８と，その形状，対数及び配置の形態を共通化したものとしてあり，これによって上記ユニットケース１と該フロア−デッキ材３０とを相互に嵌合連結自在としたものとし，例えば建物屋上，ベランダ等に上記緑化スペースとフロア−デッキ材３０によるデッキスペースの双方を自由なデザインの下に配置自在とし得るようにしてある。
【００２１】
図中３はユニットケース１の上端の張出フィン，６は底面５に配置した底面補強リブ，１０は上記フィルター支持段部９の支持面に配置した接着剤溜りをなす細リブ，１５はユニットケース１に配置した補強リブ，４０はユニットケース１の据置連結状態で上記張出フィン３長手方向端部間のスペースを利用して差込設置して緑化ユニットに散水を行なう散水栓をそれぞれ示す。
【００２２】
図示した例は以上のとおりとしたが，透水性フィルターを四周壁の内面に背着すること，フィルター支持段部に代えて四周壁内面にフィルター支持フィンを設置し四周壁をユニットケースに応じた高さのものとすること，上記隆起リブとともに又はこれに代えてフィルター支持段部にオーバーフロー孔を透設するようにすること等を含めて，ユニットケース，その保水材収容部，保水材，透水性フィルター，土壌充填部，嵌合連結手段，必要に応じて用いるフィルター支持段部，支持脚，隆起リブ，オーバーフロー孔，化粧枠，載置枠，フロアーデッキ材等の各具体的形状，構造，材質，寸法，数，これらの関係，これらに対する付加等は，上記発明の要旨に反しない限り様々な形態のものとすることができる。
【００２３】
【発明の効果】
本発明は以上のとおりに構成したから，請求項１に記載の発明は，緑化ユニットを用い，これを相互に連結して据置することによって緑化スペースを形成可能とし，緑化ユニットの連結を解除することによってその移動や一部の一時的な撤去をなし得るようにする一方，該緑化スペースにおける緑化ユニットの非連結側端部を化粧する押出成型材による化粧枠と該化粧枠を下支え支持する同じく押出成型材による載置枠を備えるとともに該載置枠の高さを一般のデッキ床の高さと同等とすることによって，上記載置枠による化粧枠の下支え納まりと一般のデッキ床による下支え納まりを選択的に自在とし，例えばベランダの緑化スペースに続いてデッキ床を形成するような場合にも，化粧枠を該デッキ床によって下支え支持してその化粧をなし得るものとするようにして，上記緑化スペースの移動やその一部の一時的な撤去を可能とした芝生等植栽用の連結据置式緑化ユニットを提供することができる。
【００２４】
請求項２に記載の発明は，上記に加えて，上記ユニットケースを複雑断面形状とすることによってその強度を向上し，透水性フィルターの設置を容易且つ安定して行なうものとし得るとともに，例えば緑化スペースでの人の歩行等緑化ユニットに荷重が掛った場合でも上記ユニットケース四周壁の破損や変形を可及的に防止することができる。
【００２５】
請求項３に記載の発明は，同じく上記に加えて，同様に上記ユニットケースを複雑断面形状とすることによってその強度を向上し，透水性フィルターの設置を容易且つ安定して行なうものとすることができる。
【００２６】
請求項４に記載の発明は，同じく上記に加えて，上記フィルター段部又は隆起リブを備えたときに，保水材による保水を適正に行い，植栽植物の根腐れ等を可及的に防止し植栽に好適なものとすることができる。
【図面の簡単な説明】
【図１】  緑化ユニットの平面図である。
【図２】  緑化ユニットの中央位置縦断面図である。
【図３】  緑化ユニットの中間位置縦断面図である。
【図４】  ユニットケースの平面図である。
【図５】  ユニットケースの背面図である。
【図６】  ユニットケースの部分縦断面図である。
【図７】  突部の拡大横断面図である。
【図８】  嵌合凹部の拡大横断面図である。
【図９】  緑化ユニットの配置状態を示す平面図である。
【図１０】  緑化ユニットの配置状態における部分側面図である。
【図１１】  緑化ユニットの配置状態におけるフロア−デッキ材との関係を示す部分側面図である。
【図１２】  ユニットケースと化粧枠の関係を示す部分縦断面図である。
【符号の説明】
Ａ  緑化ユニット
１  ユニットケース
２  四周壁
４  支持脚
７  保水材収容部
８  保水材
９  フィルター支持段部
１１  隆起リブ
１２  オーバーフロー孔
１３  透水性フィルター
１４  土壌充填部
１６  嵌合連結手段
２０  化粧枠
２２  載置枠
３０  フロアーデッキ材
【図１】
0003904847.tif 000002
【図２】
0003904847.tif 000003
【図３】
0003904847.tif 000004
【図４】
0003904847.tif 000005
【図５】
0003904847.tif 000006
【図６】
0003904847.tif 000007
【図７】
0003904847.tif 000008
【図８】
0003904847.tif 000009
【図９】
0003904847.tif 000010
【図１０】
0003904847.tif 000011
【図１１】
0003904847.tif 000012
【図１２】
0003904847.tif 000013